(57)【要約】【課題】開閉板が排水溝の上部に突出することがなく、排水溝の上部に蓋を設置すると同時に開閉板の設置も行える排水溝動物侵入防止具の提供。【解決手段】排水溝１０の上流側から下流側への流水により開放し、下流側から上流側に侵入する小動物に対しては閉鎖する開閉板３を備えた排水溝動物侵入防止具であって、排水溝１０の上部に固定される固定蓋１と、固定蓋１の蓋板部１ａに取り付けられる左右一対のＵボルト２と、Ｕボルト２により上部を支持された開閉板３とを備え、開閉板３は、排水溝１０の深さよりも長い長さを有するとともに、開閉板３の上部左右に設けられた係合孔３ａを固定蓋１に取り付けられたＵボルト２に回動自在に係合することにより、排水溝１０内におけるＵボルト２設置位置よりも下流側において、Ｕボルト２と係合孔３ａとの係合部を支点として開閉可能である。【選択図】図１
0003195372.tif 000002
【実用新案登録請求の範囲】
【請求項１】
排水溝の上流側から下流側への流水により開放し、下流側から上流側に侵入する小動物に対しては閉鎖する開閉板を備えた排水溝動物侵入防止具であって、
前記排水溝の上部に固定される固定蓋と、
前記固定蓋の前記蓋板部に取り付けられる左右一対のＵボルトと、
前記Ｕボルトにより上部を支持された前記開閉板とを備え、
前記開閉板は、前記排水溝の深さよりも長い長さを有するとともに、前記開閉板の上部左右に設けられた係合孔を前記固定蓋に取り付けられたＵボルトに回動自在に係合することにより、前記排水溝内における前記Ｕボルト設置位置よりも下流側において、前記Ｕボルトと前記係合孔との係合部を支点として開閉可能であることを特徴とする排水溝動物侵入防止具。
【請求項２】
前記固定蓋は、両側の取付板部と、この取付板部に対して高い蓋板部を有することを特徴とする請求項１記載の排水溝動物侵入防止具。
【請求項３】
前記固定蓋および開閉板は、プラスチックで形成されていることを特徴とする請求項１または２に記載の排水溝動物侵入防止具。
【請求項４】
前記開閉板の係合孔には、前記Ｕボルトの外径よりも大きな内径の金属製のハトメが嵌合されていることを特徴とする請求項３記載の排水溝動物侵入防止具。
【考案の詳細な説明】
【技術分野】
【０００１】
本考案は、高速道路と一般道路との間の法面に配置された雨水の排水溝を伝って小動物が高速道路側へ侵入するのを防止する排水溝動物侵入防止具に関する。
【背景技術】
【０００２】
一般的に、都市部では高速道路は高架橋になっていることもあるが、その他のところでは、一般道路と平面交差を避けるため、盛土あるいは切土構造で造られている。高速道路とその外側との境界にはフェンスを設置し、傾斜したのり面を設けて両者を仕切っているのが普通である。また、前記盛土のり面の所々には高速道路側の雨水を外側の側溝等へ導くために縦排水溝を形成しているが、この縦排水溝の断面は、水を流すため解放状態となっているのが普通である。
【０００３】
従って、山中にいるタヌキ、うさぎ、キツネ、猪の子供などの小動物が、前記縦排水溝を通って一般道路側から高速道路内へ侵入する場合が多々あり、高速道路内に侵入した小動物と走行中の車とが衝突する事故が多発し危険であるという問題点が指摘されていた。
【０００４】
このような問題点を解消するために、特許文献１には、排水溝内において雨水の上流側で排水溝開口縁部付近を支点として上下回動可能なフロートを備え、前記フロートの排水溝内底部への下降時に該フロートにより、又はフロート及び該フロート上に付設した侵入阻止体により小動物の侵入を阻止可能に構成された、排水溝における小動物侵入防止具が開示されている。
【０００５】
また、特許文献２には、排水溝を伝わって侵入する小動物の侵入を阻止するための仕切板であって、厚さ３ｃｍほど、幅３０〜５０ｃｍで、長さは排水溝の深さより少し長い４０〜７０ｃｍの大きさで、上部には吊り下げ用の軸を通すためのパイプを取り付け、そのパイプに通した軸の両端にＬ字形またはコ字形の金具を取り付け、軸を排水溝の両側に差し渡して金具を排水溝の両側の縁に固定し、軸を中心に水の流れに従って仕切板が回動できる可動式排水溝仕切板が開示されている。
【先行技術文献】
【特許文献】
【０００６】
【特許文献１】特開２０１３−１５１７９０号公報
【特許文献２】登録実用新案第３１６４８７７号公報
【考案の概要】
【考案が解決しようとする課題】
【０００７】
前掲の特許文献１に開示された小動物侵入防止具は、三角柱または球状のフロートが排水溝内に上下回動可能に設けられており、排水溝内に上流側から雨水が流れて来てフロートが浮くと、回動したフロートの下端部が排水溝の上部に突出することになる。この小動物侵入防止具設置場所は、落ち葉や流土が排水溝の上部から堆積することが多いため、落ち葉や流土がフロートの上部に堆積するが、フロートの浮力による上下回動により、上流からの雨水及び堆積物を円滑に流すことができるが、大量の雨水の場合は、フロートに当たる水が排水溝外へ跳ね出すという問題がある。
【０００８】
前掲の特許文献２に開示された可動式排水溝仕切板は、仕切板の上部に取り付けたパイプに軸を通し、その軸の両端に排水溝の両側に固定する金具を取り付ける構造であるために、排水溝の幅が異なると軸の長さも排水溝の幅に応じて変える必要があり、汎用性に乏しいという問題がある。さらに、仕切板の上部は、排水溝内に小動物が侵入しないように蓋をする必要があるが、蓋の固定と仕切板の取り付けを別々にしなければならず、設置作業に手間が係るという問題もある。また、大量の雨水により仕切板が最大に可動する場合、取付部及び仕切板が排水溝の断面内に設置されているので、排水溝の通水断面を侵すこととなる。
【０００９】
そこで本考案は、フロートが排水溝の上部に突出することがなく、排水溝の上部に蓋を設置すると同時に通水断面を侵さないで開閉板の設置が行え、通水阻害を起こしにくい排水溝動物侵入防止具を提供することを目的とする。
【課題を解決するための手段】
【００１０】
前記課題を解決するため、本考案の第１の構成の排水溝動物侵入防止具は、
排水溝の上流側から下流側への流水により開放し、下流側から上流側に侵入する小動物に対しては閉鎖する開閉板を備えた排水溝動物侵入防止具であって、
前記排水溝の上部に固定される固定蓋と、
前記固定蓋の前記蓋板部に取り付けられる左右一対のＵボルトと、
前記Ｕボルトにより上部を支持された前記開閉板とを備え、
前記開閉板は、前記排水溝の深さよりも長い長さを有するとともに、前記開閉板の上部左右に設けられた係合孔を前記固定蓋に取り付けられたＵボルトに回動自在に係合することにより、前記排水溝内における前記Ｕボルト設置位置よりも下流側において、前記Ｕボルトと前記係合孔との係合部を支点として開閉可能であることを特徴とする。
【００１１】
本考案の第２の構成は、第１の構成において、前記固定蓋は、両側の取付板部と、この取付板部に対して高い蓋板部を有するため、通水断面を侵さない。
【００１２】
本考案の第３の構成は、第１または第２の構成において、前記固定蓋および開閉板は、プラスチックで形成されているため、通水阻害を起こしにくい。
【００１３】
本考案の第４の構成は、第３の構成において、前記開閉板の係合孔には、前記Ｕボルトの外径よりも大きな内径の金属製のハトメが嵌合されているため、係合孔の強度が増すとともに、Ｕボルトと係合孔との間の摩擦が低減する。
【考案の効果】
【００１４】
本考案によれば、排水溝の上部に固定される固定蓋と、固定蓋の蓋板部に取り付けられる左右一対のＵボルトと、Ｕボルトにより上部を支持された開閉板とを備え、開閉板は、排水溝の深さよりも長い長さを有するとともに、開閉板の上部左右に設けられた係合孔を固定蓋に取り付けられたＵボルトに回動自在に係合することにより、排水溝内におけるＵボルト設置位置よりも下流側において、Ｕボルトと係合孔との係合部を支点として開閉可能としたことにより、開閉板が排水溝の上部に突出することがなく、排水溝の上部に蓋を設置すると同時に通水断面を侵すことなく開閉板の設置も行える排水溝動物侵入防止具が提供できる。
【図面の簡単な説明】
【００１５】
【図１】本考案の実施の形態に係る排水溝動物侵入防止具の設置状態を示すものであり、（ａ）は側断面図、（ｂ）は正面図である。
【図２】本考案の実施の形態に係る排水溝動物侵入防止具の固定蓋の斜視図である。
【図３】本考案の実施の形態に係る排水溝動物侵入防止具の開閉板の正面図である。
【図４】本考案の実施の形態に係る排水溝動物侵入防止具のＵボルトの正面図である。
【図５】本考案の実施の形態に係る排水溝動物侵入防止具とフェンスの配置例を示す平面図である。
【図６】本考案の実施の形態に係る排水溝動物侵入防止具とフェンスの他の配置例を示す平面図である。
【図７】本考案の実施の形態に係る排水溝動物侵入防止具を屈折した排水溝に設置する場合の固定蓋の加工例を示すものであり、（ａ）は表面図、（ｂ）は裏面図、（ｃ）は側面図である。
【図８】本考案の実施の形態に係る排水溝動物侵入防止具を屈折した排水溝に設置した状態の側断面図である。
【考案を実施するための形態】
【００１６】
以下、本考案の実施の形態を、図面を参照しながら具体的に説明する。
本考案の実施の形態に係る排水溝動物侵入防止具は、図１に示すように、排水溝１０の上部に固定される固定蓋１と、固定蓋１の蓋板部１ａに取り付けられる左右一対のＵボルト２と、Ｕボルト２により上部を支持された開閉板３とを備えている。
【００１７】
開閉板３は、排水溝１０の深さよりも長い長さを有するとともに、開閉板３の上部左右に設けられた係合孔３ａを固定蓋１に取り付けられたＵボルト２に回動自在に係合することにより、排水溝１０内におけるＵボルト２設置位置よりも下流側において、Ｕボルト２と係合孔３ａとの係合部を支点として開閉可能である。
これにより、開閉板３は排水溝１０の上流側から下流側へ（矢印Ａ方向）の流水により開放し、下流側から上流側に（矢印Ｂ方向）侵入する小動物に対しては閉鎖することになる。
【００１８】
固定蓋１は、図２に示すように、両側の取付板部１ｂと、この取付板部１ｂに対して高い蓋板部１ａを有する。また、蓋板部１ａには、Ｕボルト２（図４参照）を取り付けるためのボルト用穴１ｃが設けられ、取付板部１ｂには、アンカーボルト１２を打ち込むための固定穴１ｄが設けられている。取付板部１ｂよりも蓋板部１ａを段差を持たせて高くしたことにより、開閉板３の係合孔３ａの位置が排水溝１０の上面より高くなり、上流からの雨水の流れに開閉板３の上部が抵抗にならずかつ排水溝の通水断面を侵すことなく、開閉板３の開閉を円滑に行うことができる。
【００１９】
図１において、１１は排水溝１０と固定蓋１との間に敷かれるコンクリートシール、１３は本排水溝動物侵入防止具の設置位置の上流に設置された、一般道路と高速道路法面との間を仕切るフェンスである。
【００２０】
固定蓋１および開閉板３は、プラスチックで形成することができる。これにより、通水阻害を起こしにくく、錆や腐食による寿命の短期化を防ぐことができる。
【００２１】
開閉板３の係合孔３ａとＵボルト２との間の動きやすさを確保するため、図３に示すように、開閉板の係合孔３ａには、Ｕボルト２の外径よりも大きな内径の金属製のハトメ３ｂを嵌合している。
【００２２】
図５は排水溝１０とフェンス１３が直角に交差する場合の固定蓋１の配置例を示すものであり、固定蓋１は加工せずにそのまま使用することができる。
【００２３】
図６は排水溝１０とフェンス１３が斜めに交差する場合の固定蓋１の配置例を示すものであり、固定蓋１のフェンス１３側をノコギリ等で現地の傾斜に合わせて斜めにカットして使用する。
【００２４】
高速道路側から下る法尻が屈折した箇所の場合、図７に示すように固定蓋１の取付板部１ｂを屈折したい位置から蓋板部１ａの側部までカッター等で切れ込み１ｅを入れる。
【００２５】
このように切り込み加工した固定蓋１を図８に示すように、切れ込み１ｅを入れた箇所と法尻の屈折箇所とが合うように設置する。これにより、現場に合わせた屈折にも対応して排水溝動物侵入防止具を設置することができる。
【産業上の利用可能性】
【００２６】
本考案は、開閉板が排水溝の上部に突出することがなく、排水溝の上部に蓋を設置すると同時に開閉板の設置も行える排水溝動物侵入防止具として、特に高速道路の法面の下方に設けられる排水溝に好適に利用することができ、高速道路内に侵入した小動物と走行中の車とが衝突する事故を防止することができる。
【符号の説明】
【００２７】
１  固定蓋
１ａ  蓋板部
１ｂ  取付板部
１ｃ  ボルト用穴
１ｄ  固定穴
１ｅ  切れ込み
２  Ｕボルト
３  開閉板
３ａ  係合孔
１０  排水溝
１１  コンクリートシール
１２  アンカーボルト
１３  フェンス
【図１】
0003195372.tif 000003
【図２】
0003195372.tif 000004
【図３】
0003195372.tif 000005
【図４】
0003195372.tif 000006
【図５】
0003195372.tif 000007
【図６】
0003195372.tif 000008
【図７】
0003195372.tif 000009
【図８】
0003195372.tif 000010